(57)【要約】【課題】光量調節機能や防水・防塵機能を有しながらも、小型で十分な放熱・冷却機能をも有する投光器等を安価に提供すること。【解決手段】筒状または箱状の本体部１と光源部２を有する照明器具Ａにおいて、変圧用に電子部品を用いた基板からなる光量コントロール部４を、熱伝導・放熱性の良い材質製の放熱・冷却用を兼ねたケース部５内に密封状に内装して、該光量コントロール部４を内装したケース部５を、本体部１から分離状態に設けたものとする。【選択図】        図１
0003110685.tif 000002
【実用新案登録請求の範囲】
【請求項１】
筒状または箱状の本体部１と光源部２と取付け用部等３を備えた照明器具Ａにおいて、
変圧用に電子部品を用いた基板からなる光量コントロール部４を、熱伝導・放熱性の良い材質製のケース部５内に密封状に内装して、
該コントロール部４を内装したケース部５を、本体部１から分離状態に設けたことを特徴とする照明器具。
【請求項２】
請求項１に記載の照明器具において、光量コントロール部４を内装したケース部５を、いずれかからの接続用部６を介して本体部１から分離状態に連結した照明器具。
【請求項３】
請求項１に記載の照明器具において、光量コントロール部４を内装したケース部５を、電源コード１１を介して本体部１から分離状態に連結した照明器具。
【請求項４】
請求項１，２または３に記載の照明器具において、本体部１と光量コントロール部４を内装したケース部５との間を、電気的接続具を介して着脱可能とした、照明器具。
【請求項５】
光量コントロール部４を内装したケース部５を、電源コード１１を介して本体部１から分離状態に連結した請求項１，３または４に記載の照明器具において、
その電源コード１１を、本体部１側とケース部５側との間に設けた電気的接続具としてのプラグとコンセントとで着脱可能に接続した、照明器具。
【考案の詳細な説明】
【技術分野】
【０００１】
本考案は照明器具、主として屋外で使用する投光器・作業灯等の改良に係るもので、防水・防塵機能、光量調節機能、放熱・冷却機能をもつものに関する。
【背景技術】
【０００２】
従来一般に投光機や作業灯等の照明器具は、周知の如く筒状または箱状の本体部の前部に、反射鏡と共に白熱球、ハロゲンランプ、または水銀灯等をもつ光源部を設け、本体部に取付け用部・固定用部または把持部（以下では取付け用部等という）を有する構造となっている。
【０００３】
その内で特に屋外で使用するものでは、本体部と光源部との接続部その他のつなぎ部分等に防水・防塵手段を施しており、また光量の大きいものでは例えば下記特許文献１ないし６のように、光源部からの発熱を逃がすために、空冷用のファンを内装したり、外部に放熱用フィンその他の放熱・冷却手段を設けたりしている。
【特許文献１】実開平２−２２５２３号公報
【特許文献２】実開平７−１６３０６号公報
【特許文献３】特開平７−１３０２０３号公報
【特許文献４】実開平５−６５２８号公報
【特許文献５】特開平１１−１４４５２１号公報
【特許文献６】特公平１１−５１２８７３号公報
【考案の開示】
【考案が解決しようとする課題】
【０００４】
ところで近時の投光器・作業灯等では、作業の場所や種類等によって大光量を求められたり、それ以外の場合には省エネのために照明を暗くすることが求められたりする。それに対応するために従来は、例えば大光量から小光量まで数種類の投光器等を準備しておくこともあるが、それでは設備費用が高くつくし、嵩張ることになる。
【０００５】
また光量を調節するために、電圧を可変にするコントロール部を本体部に備えたものも考えられているが、近時のコントロール部はＩＣその他電子部品を実装した基板が内装されている。それゆえコントロール部が、光源部からの放熱により損傷を受けやすいし、基板自体の放熱で悪影響を受ける心配もある。
【０００６】
そこで、この種の投光器・作業灯等には放熱・冷却機能を備えることが不可欠となり、特に大光量を得ようとすると、一層の放熱・冷却性能が必要となる。しかし主として屋外で使用する投光器等では、防水・防塵性をも必要とするため、それにも対応する放熱・冷却手段を設けなければならないし、それがあまり大型化してもいけない、等の問題点があった。
【０００７】
本考案は、照明器具特に投光器・作業灯等において、上記従来のものが有する問題点の解消を課題とするものである。即ち、本考案の目的は、光量調節機能や防水・防塵機能を有しながらも、小型で十分な放熱・冷却機能をも有する投光器等を安価に提供することにある。
【課題を解決するための手段】
【０００８】
本考案に係る照明器具は、
筒状または箱状の本体部１と光源部２と取付け用部等３を備えた照明器具Ａにおいて、  変圧用に電子部品を用いた基板からなる光量コントロール部４を、熱伝導・放熱性の良い材質製の放熱・冷却用を兼ねたケース部５内に密封状に内装して、
該光量コントロール部４を内装したケース部５を、本体部１から分離状態に連結してなるものである。
【考案の効果】
【０００９】
上記構成の本考案に係る照明器具Ａによれば、次の効果を奏する。
イ）光量コントロール部４を内装したケース部５を、本体部１から分離状態に設けてあるので、光源部２の発熱がコントロール部４へ直接に伝わることが防止されている。そのため、光源部２からの熱でコントロール部４の基板・電子部品が損傷を受けることを無くすことができる。
【００１０】
ロ）また光量コントロール部４を、熱伝導・放熱性の良い材質製のケース部５に内装してあるので、該コントロール部４の電子部品や基板での発熱はケース部５へ伝達されて、その表面から効率よく放熱される。そのため、コントロール部４自体の発熱で電子部品・基板が悪影響を受けることも無くすことができる。
【００１１】
ハ）上記の如く、光源部２からの発熱や電子部品・基板からの発熱で悪影響を受けない光量コントロール部４を備えることにより、このコントロール部４より電圧を変化させ、本照明器具Ａを使用する作業場所や作業の種類に応じ、大光量から小光量までを容易に得ることができる。
そのため、照明が必要な作業場所や作業の種類で、必要かつ十分な光量を設定することができ、必要以上の光量による無用な電力消費を避けて、大幅な節電効果を得ることができるし、従来のように大光量から小光量までの複数個の照明器具を準備しておく必要も無くなる。
【００１２】
ニ）同様に、上記のように発熱で悪影響を受けない光量コントロール部４により、作業場所や作業の種類に応じて必要で十分な任意の光量に調節可能であることで、従来のようなその光源部が常に最大光量で点灯している照明器具と異なり、ランプ・電球２ａの寿命を大幅に増長させることができる。例えば、光量を最大ワット数から１０パーセントダウンすることで、ランプの寿命は約６倍も延びると言われている。
【００１３】
ホ）さらに、上記の如く光量コントロール部４を本体部１から分離状態で設けたことにより、光量コントロール部４は光源部２での発熱が直接に伝わることがないから、ケース部５を密封形にしても電子部品や基板からの発熱は十分に放熱することができる。そのため、防水性・防塵性を有しながらも、放熱・冷却機能をもつ光量コントロール部４・ケース部５の小型化を図ることができ、安価であると共に使い勝手も良い照明器具にすることができる。
【考案を実施するための最良の形態】
【００１４】
上記構成において、照明器具Ａとは、主として屋外で用いる投光器や作業灯であるが、屋内で用いる照明器具であってもよい。本体部１は上記のように筒状でも箱状でもよく、また光源部２は例えばハロゲンランプ、水銀灯または白熱電球であるが、蛍光灯その他種類を問わない。光源部２には反射鏡を有するのが一般的であるが、ランプ・電球とは別体のものでも、ランプ・電球の内面に反射膜を形成したものでもよく、さらにそれを持たぬものでもよい。
【００１５】
上記光量コントロール部４は、電圧を変化させてワット数を変化させ、光量を変化させるものとすればよいが、必ずしもこれに限るものではなく、また小型・軽量化のために電子部品（図示略）を基板（図示略）に実装したものを用いるのがよい。そこでの操作部４ａは、ダイヤル式でもスライド式でも、また幾つかの押しボタンを選択するタイプのものであってもよい。
【００１６】
光量コントロール部４を内装したケース部５は、熱伝導・放熱性に優れたアルミ合金の材質製にすることが望ましいが、それに限らず、熱伝導・放熱性が良いなら他の金属製としてもよく、また筒状でも箱形状でもよい。さらにケース部５は、屋外使用のために防水・防塵性を持たすために密閉形としておくのがよく、より一層の放熱・冷却効果を持たすために放熱フィンを形成してあってもよい。
【００１７】
上記光量コントロール部４を内装したケース部５は、本体部１から分離状態に設けておく。ここで本体部１から分離状態に設けるとは、本体部１内で無く本体部１とは別体として、光源部２から離れた位置例えば本体部１の後部に、シリコンゴム材のような断熱材１０を介してコードを通す最小限度の接続用部６を形成し、該接続用部６によって本体部１と光量コントロール部４を内装したケース部５とを連結しておくようなことである（例えば図１・図２参照）。
【００１８】
あるいは上記に限らず、本体部１と光量コントロール部４を内装したケース部５とを、本体部１からの電源コード（電気コード）１１を介して連結したものでもよい（例えば図３参照）。換言すれば、本体部１からの電源コード１１の一部に、光量コントロール部４を内装したケース部５を連結しておいてもよい。
【００１９】
さらに、上記本体部１と光量コントロール部４を内装したケース部５との間を、プラグとコンセント等の電気的接続具を介して着脱可能としておいてもよい。例えば、上記電源コード１１を介して本体部１と光量コントロール部４を内装したケース部５とを連結するもの（例えば上記図３参照）では、さらに、該電源コード１１の中間個所に電気的接続具としてのプラグとコンセントを設けて、これで両者１，５を着脱可能に接続するようにしておいてもよい。
【００２０】
上記本体部１には取付け用部等３を設けてある。この取付け用部等３は、縦杆または横杆等へ取り付けるものではクランプ式のものが望ましいが、クリップ式のものでもよく、また吊下げ式のものでも、また作業台上などに載置・固定する脚形のものでもよいし、携帯をするものでは把持部であってもよい。
【実施例１】
【００２１】
図１および図２は、本考案に係る照明器具Ａの実施例を示すもので、ここでは光源部２が白熱電球を用いた投光器の例を説明するが、他の場合もほぼこれに準ずることになる。      
【００２２】
本体部１は、ここでは前部が大径（約１１０ｍｍ）、後部が小径（約６０ｍｍ）で、長さ約１８０ｍｍの円筒状をした金属板製の本体ケース内に収納されており、前部寄り内に設けたソケット部（図示略）に、光源部２としてここでは、最大径が約１６０ｍｍで内面に反射膜を形成した５００Ｗの白熱電球２ａを装着してある。
【００２３】
また該本体部１の前部には、白熱電球２ａに外力が加わらぬようにするために、側周面を覆う金属板製の保護カバー７と、前部を保護するため外径約３ｍｍの金属線製の保護枠８を装着してある。光源部２としては、白熱電球２ａを用いたものに限らないことは上記のとおりであり、また反射膜は電球内面にではなく、別体の凹状反射板に形成してあってもよい。
【００２４】
該本体部１のケースの後部寄りには、ここでは作業場所の縦または横杆９に取付け可能に、クランプ式の取付け用部等３を、ネジで首振り可能に装着してある。
【００２５】
そして、４が光量コントロール部を示し、ここでは上記本体部１の後端部に、分離状態で取り付けてある。即ち、光量コントロール部４は、ここでは電子部品を実装したプリント基板により電圧を可変としたものとして、光源部２への電力（ワット数）を変更して、光量を調節可能としたタイプである。ここでは、電圧がほぼ０〜１００Ｖまでの範囲を無段階で可変としてあり、これにより光源部２が０〜５００Ｗに相当する明るさで無段階調節可能としてある。
【００２６】
また該光量コントロール部４は、ここでは板厚約３ｍｍのアルミ合金製で、縦約７０ｍｍ、横約１００ｍｍ、奥行き約３３ｍｍの箱型のケース部５内に収納してあり、電圧を可変とするつまみ状の操作部４ａをケース部５の後板から突出させてある。このコントロール部４のケース部５と本体部１とは、ここでは光量コントロール部４のケース部５の前板部中央に形成した丸孔に、本体部１後端から延びたパイプ状の接続部６を、断熱用のシリコンゴム製の断熱材１０を介して装入し、電線を連通させて両者１，５を分離した状態で連結・固定してある。
【００２７】
上記実施例のものを長時間にわたり点灯した場合でも、ケース部５に手を触れた際に熱くなく、コントロール部４内の電子部品や基板等を熱から守るのに十分な放熱・冷却効果を有していることが判った。
【実施例２】
【００２８】
図３は他の実施例を示すものであり、本体部１と光量コントロール部４を内装したケース部５とを、電源コード１１を介して連結したものである。換言すれば、電源コード１１の一部に光量コントロール部４を内装したケース部５を設けたものである。他の部分は上記実施例１と同じでよい。
【実施例３】
【００２９】
上記本体部１と光量コントロール部４を内装したケース部５とを電源コード１１を介して連結したもの（上記図３参照）では、図示は省略するが、該電源コード１１の本体部１側とケース部５側との間に電気的接続具としてのプラグとコンセントを設け、着脱可能に接続させるようにしてもよい。他の部分は上記実施例１と同じでよい。
【００３０】
なお、上記実施例１，２および３で、照明器具Ａは投光器の場合であるが、それに限らず例えば作業灯でもよいし、屋内で用いる照明器具であってもよい。また本体部１の形状は上記のように筒状でなく箱状でもよく、光源部２は白熱電球では無くてハロゲンランプや水銀灯や蛍光灯であってもよい。
【００３１】
また操作部４ａは上記のようにつまみを回すダイヤル式に限らず、スライド式でも、さらには幾つかの押しボタンを選択するタイプであってもよい。光量コントロール部４のケース部５は、アルミ合金製のボックス状のものに限らず、熱伝導性・放熱性が良いなら他の材質であっても丸形であってもよいし、放熱効果を上げるために放熱フィンを形成してもよいことは、上記のとおりである。
【図面の簡単な説明】
【００３２】
【図１】本考案に係る照明器具の実施例としての投光器を示す斜視図である。
【図２】本考案に係る照明器具の実施例としての投光器を示す側面図である。
【図３】本考案に係る照明器具の他の実施例としての投光器を示す側面図である。
【符号の説明】
【００３３】
Ａ−照明器具
１−本体部
２−光源部
２ａ- ランプ，電球
３−取付け用部等
４−光量コントロール部
４ａ- 操作部
５−ケース部
６−接続用部
７−保護カバー
８−保護枠
９−縦または横杆
１０−断熱材
１１−電源コード
【図１】
0003110685.tif 000003
【図２】
0003110685.tif 000004
【図３】
0003110685.tif 000005